(57)【要約】【課題】配電系統との連系に適切な分散型電源の発電力率を選定する。【解決手段】配電線に接続される分散型電源の発電力率を選定する分散型電源の発電力率選定装置において、前記分散型電源の複数の発電力率夫々に対して、前記配電線に接続される負荷の大きさと、前記分散型電源の複数の発電出力と、を対応付けた複数の組合せの情報を生成する生成部と、前記情報に基づいて、前記複数の組合せ夫々に対応付けられる前記分散型電源が前記配電線に接続された場合の、前記配電線の所定ポイントに発生する電圧値を予測する予測部と、前記電圧値が所定範囲内の値であるか否かを判別する判別部と、前記電圧値が前記所定範囲内の値であるものと前記判別部が判別した前記組合せのうち、前記発電出力の数が最多の前記組合せに係る前記発電力率を前記分散型電源の発電力率として選定する選定部と、を備えた。【選択図】図１
2008005672.tif 000002
【特許請求の範囲】
【請求項１】
配電線に接続される分散型電源の発電力率を選定する分散型電源の発電力率選定装置において、
前記分散型電源の複数の発電力率夫々に対して、前記配電線に接続される負荷の大きさと、前記分散型電源の複数の発電出力と、を対応付けた複数の組合せの情報を生成する生成部と、
前記情報に基づいて、前記複数の組合せ夫々に対応付けられる前記分散型電源が前記配電線に接続された場合の、前記配電線の所定ポイントに発生する電圧値を予測する予測部と、
前記電圧値が所定範囲内の値であるか否かを判別する判別部と、
前記電圧値が前記所定範囲内の値であるものと前記判別部が判別した前記組合せのうち、前記発電出力の数が最多の前記組合せに係る前記発電力率を前記分散型電源の発電力率として選定する選定部と、
を備えたことを特徴とする分散型電源の発電力率選定装置。
【請求項２】
前記予測部は、
前記複数の組合せ夫々に対応付けられる前記分散型電源が前記配電線から遮断された場合の、前記所定ポイントに発生する電圧値をさらに予測し、
前記判別部は、
前記分散型電源が前記配電線に接続された場合、及び前記分散型電源が前記配電線から遮断された場合の、前記所定ポイントに発生する電圧値が所定範囲内の値であるか否かを判別し、
前記選定部は、
前記分散型電源が前記配電線に接続された場合、及び前記分散型電源が前記配電線から遮断された場合の、前記所定ポイントに発生する電圧値が所定範囲内の値であるものと前記判別部が判別した前記組合せのうち、前記発電出力の数が最多の前記組合せに係る前記発電力率を前記分散型電源の発電力率として選定する、
ことを特徴とする請求項１に記載の分散型電源の発電力率選定装置。
【請求項３】
前記所定ポイントは、前記配電線に複数設けられ、
前記予測部は、
複数の前記所定ポイントに発生する電圧値を予測し、
前記判別部は、
前記予測部で予測された複数の前記所定ポイントの全ての電圧値が、所定範囲内の値であるか否かを判別する、
ことを特徴とする請求項１又は２に記載の分散型電源の発電力率選定装置。
【請求項４】
前記生成部は、
複数の前記発電力率夫々に対して、複数の前記負荷の大きさを対応付け、さらに複数の前記負荷の大きさ夫々に対して、複数の前記発電出力を対応付けた複数の組合せの情報を生成する、
ことを特徴とする請求項１乃至３の何れかに記載の分散型電源の発電力率選定装置。
【請求項５】
配電線に接続される分散型電源の発電力率を選定する分散型電源の発電力率選定方法において、
前記分散型電源の複数の発電力率夫々に対して、前記配電線に接続される負荷の大きさと、前記分散型電源の複数の発電出力と、を対応付けた複数の組合せの情報を生成するステップと、
前記情報に基づいて、前記複数の組合せ夫々に対応付けられる前記分散型電源が前記配電線に接続された場合の、前記配電線の所定ポイントに発生する電圧値を予測するステップと、
前記電圧値が所定範囲内の値であるか否かを判別するステップと、
前記電圧値が前記所定範囲内の値であるものと判別した前記組合せのうち、前記発電出力の数が最多の前記組合せに係る前記発電力率を前記分散型電源の発電力率として選定するステップと、
を実行することを特徴とする分散型電源の発電力率選定方法。
【請求項６】
配電線に接続される分散型電源の発電力率を選定する分散型電源の発電力率選定装置を制御するコンピュータに、
前記分散型電源の複数の発電力率夫々に対して、前記配電線に接続される負荷の大きさと、前記分散型電源の複数の発電出力と、を対応付けた複数の組合せの情報を生成する手順と、
前記情報に基づいて、前記複数の組合せ夫々に対応付けられる前記分散型電源が前記配電線に接続された場合の、前記配電線の所定ポイントに発生する電圧値を予測する手順と、
前記電圧値が所定範囲内の値であるか否かを判別する手順と、
前記電圧値が前記所定範囲内の値であるものと判別した前記組合せのうち、前記発電出力の数が最多の前記組合せに係る前記発電力率を前記分散型電源の発電力率として選定する手順と、
を実行させるプログラム。
【発明の詳細な説明】
【技術分野】
【０００１】
本発明は、分散型電源の発電力率選定装置、分散型電源の発電力率選定方法、及びプログラムに関する。
【背景技術】
【０００２】
配電系統は、主に、変電所、電力の供給先の需要家（工場、一般住宅等）、変電所から需要家に電力を供給する配電線等によって構成される。そして、配電線には変電所側（以下、上流とする）から需要家側（以下、下流とする）に電流が流れる。つまり、配電線の電圧（以下、配電線電圧とする）は上流の方が下流よりも高いことになる。なお、配電系統において、配電線電圧には、当該配電線電圧の大きさに応じて、上限値及び下限値が定められている（電気事業法第２６条及び同法施行規則４４条）。そして、配電線電圧が前記上限値と前記下限値で定まる範囲（以下所定範囲とする）を逸脱しないように管理されている。例えば変電所の送り出し電圧（以下、送出電圧とする）を調整することによって配電線電圧が制御されている。
【０００３】
ところで、近年、需要家において分散型電源が設けられ、当該分散型電源を配電系統と連系させて利用する方式が増えている（例えば特許文献１参照）。なお、分散型電源とは、例えば、太陽光や風力の供給を受けることによって自ら発電を行うことが可能な装置のことであり、連系とは、配電系統と分散型電源とが電気的に接続して動作することを意味する。
【０００４】
ところが、分散型電源が配電系統と連系することによって配電線電圧が変動し、当該配電線線圧が所定範囲から逸脱する恐れが出てくる。また、上流よりも下流の方が高電圧となり、逆潮流が発生する恐れもある。
【０００５】
よって、分散型電源と配電系統とが連系することによる配電線電圧の状態を予め予測しておく必要がある。通常、この予測には、配電線に沿った負荷の分布に着目して、配電線を複数に区分した配電系統モデルが使用されている。以下、配電系統モデルにおいて配電線を区分するための配電線の所定ポイントのことをノードと称する。ノードには、例えば配電線の区分開閉器の設置点が設定される。
【０００６】
配電系統モデルの各ノードの電圧（以下、ノード電圧とする）は、変電所からの送出電圧、配電線の線路定数（抵抗、リアクタンス）、負荷の大きさや分布、及び分散型電源の発電出力の値を定めると、周知の潮流計算を用いたシミュレーションによって求めることができる。
【０００７】
従来、シミュレーションにおいて、負荷の大きさや分散型電源の発電出力を一定（例えば、想定される最大負荷時や最大発電出力時の値）とすることにより、各ノード電圧を予測し、各ノード電圧の予測値が前述した所定範囲内に維持できるか否かを判別していた。そして、予測値が所定範囲内に維持できないと判別された場合には、例えば分散型電源の発電力率を調整していた。
【０００８】
図８は、分散型電源の発電力率と配電線電圧との関係を示すシミュレーション結果を示す図である。図８において横軸は配電線亘長（ｋｍ）であり、縦軸は配電線電圧（ボルト）である。また、破線は、分散型電源が配電系統と連系されていない場合の配電線電圧を示している。なお、同図のｎ１〜ｎ６は配電線に設定されたノードであり、ノードｎ６に分散型電源が接続されることとする。また、分散型電源の発電出力及びノードｎ１〜ｎ６における負荷の大きさは一定としている。図８から、ノードｎ１〜ｎ６のノード電圧は、分散型電源の発電力率に依存して変化することがわかる。例えば発電力率が１００％よりも９４％の方がノード電圧の変動量（破線に対する変化量）が小さくなっている。
【０００９】
一般に、発電力率は、高いほど（１００％に近いほど）無効電力が少なく、発電が効率的であるが、各ノード電圧の予測値が所定範囲内に維持できない場合、発電力率を調整する（例えば９４％とする）ことにより、配電線の電圧変動を抑えるようにしていた。
【特許文献１】特開２００２−１５２９７６号公報
【発明の開示】
【発明が解決しようとする課題】
【００１０】
前述したシミュレーションでは、負荷の大きさや分散型電源の発電出力を一定としていたが、実際には、負荷の大きさは、季節や時間帯に応じて変化するものであり、また、例えば太陽光発電や、風力発電等の自然エネルギーを利用した分散型電源の発電出力は、例えば気象状況に応じて変化するものである。
【００１１】
図９は、負荷の大きさや分散型電源の発電出力が変化した場合の配電線電圧のシミュレーション結果を示す図である。なお、分散型電源の発電力率は一定（９４％）としている。
【００１２】
配電系統としては、繁華街、工業地域、郡部Ａ、郡部Ｂの４種類のモデルがあり、この順で変電所からの距離（配電線亘長）が長くなっている。また、負荷区分としては夜、昼、早朝が設定されている。負荷区分において負荷が小さいのは、一般に早朝であり、負荷が大きいのは昼（例えば工業地帯）又は夜（例えば繁華街）である。さらに、分散型電源の発電出力として、１０００ｋＷ、２０００ｋＷ、３０００ｋＷが設定されている。
【００１３】
図９から、分散型電源の発電出力や負荷区分が同じ場合、変電所からの距離が長くなるほど（繁華街、工業地帯、郡部Ａ、郡部Ｂの順で）電圧の変動量が大きくなっていることがわかる。また、負荷区分が早朝の場合よりも昼又は夜の場合の方が電圧の上昇値が大きくなっていることがわかる。ただし、この上昇値は、配電系統ごとに異なっている。例えば繁華街に比べ郡部Ｂでは負荷区分による電圧の変動量が大きくなっている。
【００１４】
また、繁華街では、分散型電源の発電出力が大きくなるほど電圧が上昇しているが、例えば郡部Ｂでは分散型電源の発電出力が大きくなるほど電圧が低下している。
【００１５】
これらのことから、分散型電源を配電系統に連系させる場合、発電力率が同じでも、配電系統（配電線亘長）、負荷の大きさ、分散型電源の発電出力によって、配電線電圧の変動量が異なることがわかる。
【００１６】
従来、シミュレーションにおいて、各ノード電圧予測値が所定範囲内に維持できないと判別された場合には、例えば分散型電源の発電力率を調整するようにしていたが、分散型電源の発電出力や負荷の大きさなどのパラメータの変化を考慮していないため、配電線との接続に適した発電力率が選定されていない恐れがあった。また、このことにより発電力率を調整したにもかかわらず、ノード電圧が所定範囲から逸脱する恐れがあった。
【００１７】
このように、従来、配電線との接続に適切な分散型電源の発電力率が選定されていない可能性があるという問題点があった。
【００１８】
本発明はかかる課題に鑑みてなされたものであり、その目的は、配電線との接続に適切な分散型電源の発電力率を選定することができる分散型電源の力率選定装置、分散型電源の力率選定方法、及びプログラムを提供することにある。
【課題を解決するための手段】
【００１９】
前記課題を解決するための主たる発明は、配電線に接続される分散型電源の発電力率を選定する分散型電源の発電力率選定装置において、前記分散型電源の複数の発電力率夫々に対して、前記配電線に接続される負荷の大きさと、前記分散型電源の複数の発電出力と、を対応付けた複数の組合せの情報を生成する生成部と、前記情報に基づいて、前記複数の組合せ夫々に対応付けられる前記分散型電源が前記配電線に接続された場合の、前記配電線の所定ポイントに発生する電圧値を予測する予測部と、前記電圧値が所定範囲内の値であるか否かを判別する判別部と、前記電圧値が前記所定範囲内の値であるものと前記判別部が判別した前記組合せのうち、前記発電出力の数が最多の前記組合せに係る前記発電力率を前記分散型電源の発電力率として選定する選定部と、を備えたことを特徴とする。こうすることにより、配電線との接続に適切な分散型電源の発電力率を選定することができる。
【００２０】
また、かかる分散型電源の発電力率選定装置において、前記予測部は、前記複数の組合せ夫々に対応付けられる前記分散型電源が前記配電線から遮断された場合の、前記所定ポイントに発生する電圧値をさらに予測し、前記判別部は、前記分散型電源が前記配電線に接続された場合、及び前記分散型電源が前記配電線から遮断された場合の、前記所定ポイントに発生する電圧値が所定範囲内の値であるか否かを判別し、前記選定部は、前記分散型電源が前記配電線に接続された場合、及び前記分散型電源が前記配電線から遮断された場合の、前記所定ポイントに発生する電圧値が所定範囲内の値であるものと前記判別部が判別した前記組合せのうち、前記発電出力の数が最多の前記組合せに係る前記発電力率を前記分散型電源の発電力率として選定することが好ましい。こうすることにより、例えば分散型電源が故障で停止したような場合においても、配電線の電圧値を所定範囲内に維持できる。よって配電線との接続に、より適切な発電力率を選定することができる。
【００２１】
また、かかる分散型電源の発電力率選定装置において、前記所定ポイントは、前記配電線に複数設けられ、前記予測部は、複数の前記所定ポイントに発生する電圧値を予測し、前記判別部は、前記予測部で予測された複数の前記所定ポイントの全ての電圧値が、所定範囲内の値であるか否かを判別することが好ましい。配電線の複数のポイントにおける電圧値を所定範囲内とすることができるので、さらに適切な発電力率を選定することができる。
【００２２】
さらに、かかる分散型電源の発電力率選定装置において、前記生成部は、複数の前記発電力率夫々に対して、複数の前記負荷の大きさを対応付け、さらに複数の前記負荷の大きさ夫々に対して、複数の前記発電出力を対応付けた複数の組合せの情報を生成するようにしてもよい。負荷の大きさや、分散型電源の発電出力が変化しても配電線の電圧値を所定範囲内に維持できる発電力率を選定することができる。
【００２３】
また、前記課題を解決するための発明は、配電線に接続される分散型電源の発電力率を選定する分散型電源の発電力率選定方法において、前記分散型電源の複数の発電力率夫々に対して、前記配電線に接続される負荷の大きさと、前記分散型電源の複数の発電出力と、を対応付けた複数の組合せの情報を生成するステップと、前記情報に基づいて、前記複数の組合せ夫々に対応付けられる前記分散型電源が前記配電線に接続された場合の、前記配電線の所定ポイントに発生する電圧値を予測するステップと、前記電圧値が所定範囲内の値であるか否かを判別するステップと、前記電圧値が前記所定範囲内の値であるものと判別した前記組合せのうち、前記発電出力の数が最多の前記組合せに係る前記発電力率を前記分散型電源の発電力率として選定するステップと、を実行することを特徴とする。
【００２４】
また、前記課題を解決するための発明は、配電線に接続される分散型電源の発電力率を選定する分散型電源の発電力率選定装置を制御するコンピュータに、前記分散型電源の複数の発電力率夫々に対して、前記配電線に接続される負荷の大きさと、前記分散型電源の複数の発電出力と、を対応付けた複数の組合せの情報を生成する手順と、前記情報に基づいて、前記複数の組合せ夫々に対応付けられる前記分散型電源が前記配電線に接続された場合の、前記配電線の所定ポイントに発生する電圧値を予測する手順と、前記電圧値が所定範囲内の値であるか否かを判別する手順と、前記電圧値が前記所定範囲内の値であるものと判別した前記組合せのうち、前記発電出力の数が最多の前記組合せに係る前記発電力率を前記分散型電源の発電力率として選定する手順と、を実行させるプログラムである。
【発明の効果】
【００２５】
本発明によれば、配電線との接続に適切な分散型電源の発電力率を選定することができる。
【発明を実施するための最良の形態】
【００２６】
本明細書及び添付図面の記載により、少なくとも以下の事項が明らかとなる。
【００２７】
＝＝＝配電系統の構成モデル例＝＝＝
図２を参照しつつ、分散型電源の力率選定に適用する配電系統の構成モデルの一例について説明する。図２は、分散型電源の力率選定に適用する配電系統の構成モデルの一例を説明するための図である。
【００２８】
配電系統１は、主として、変電所１００、母線１１０、配電線２００、ノード（所定ポイント）２０１〜２０５、負荷３０１〜３０５、分散型電源Ｇ１で構成されている。
【００２９】
配電線２００は、変電所１００からの電力を、母線１１０を介して、負荷３０１〜３０５に供給するものである。
【００３０】
ノード２０１〜２０５は、配電線２００を区分するべく設けられたものであり、これにより配電区間（Ａ、Ｂ、Ｃ、Ｄ）が定まっている。ノード２０１〜２０５としては、例えば、配電線２００における区分開閉器（不図示）の設置点が設定される。
【００３１】
負荷３０１〜３０５は、それぞれノード２０１〜２０５に接続される負荷である。例えばノード２０５の負荷３０５は、配電区間Ｄに分布する複数の需要家の総負荷となる。なお、負荷３０１〜３０５の大きさは、例えば季節や時間帯に応じて、それぞれ変化するが、負荷３０１〜３０５の大きさの比率は、季節や時間帯に関わらず一定であることとする。
【００３２】
分散型電源Ｇ１は、例えば太陽光や風力の供給を受けることにより、単独で発電することができる発電装置であり、ノード２０５に接続されている。
【００３３】
＝＝＝力率選定装置の構成＝＝＝
図１を参照しつつ、本発明の実施形態にかかる分散型電源の発電力率選定装置の構成について説明する。図１は、本発明の実施形態にかかる分散型電源の発電力率選定装置２の構成の一例を示すブロック図である。なお、発電力率選定装置２としては、例えば電力会社に設置される端末（例えばパーソナルコンピュータ）とすることができる。
【００３４】
発電力率選定装置２は、主として表示部１０、入力部１２、ＣＰＵ１４、データベース１６、計算結果記憶部１８を有している。そして、表示部１０、入力部１２、ＣＰＵ１４、データベース１６、計算結果記憶部１８は、バス線３０に接続されている。
【００３５】
データベース１６には、潮流計算データベース２０、設備データベース２２、プログラムデータベース２４の各データベースが設けられている。
【００３６】
潮流計算データベース２０には、配電線２００の線路定数（インピーダンス、リアクタンス）を示すデータや、配電系統１の構成（各ノードの負荷や分散型電源の接続ノードなど）を示す系統構成データが記憶される。図４（ａ）、（ｂ）、（ｃ）は、潮流計算データベース２０に記憶される系統構成データの一例を示す図である。なお、図４（ａ）、（ｂ）、（ｃ）は、図２の配電系統１の場合の系統構成データについて示したものである。
【００３７】
図４（ａ）は、前述した配電区間Ａ〜Ｄの構成データであり、配電線亘長（ｄ１〜ｄ４）や、接続ノード（２０１〜２０５）が設定されている。  
図４（ｂ）は、負荷比率に関するデータを示すものである。なお、負荷比率とは、配電系統１における負荷全体に対する負荷３０１〜３０５の比率のことである。なお負荷比率は、季節や時間帯に関わらす一定であることとする。  
図４（ｃ）は、発電機（分散型電源）Ｇ１の接続位置（ノード２０５）に関するデータを示すものである。
【００３８】
設備データベース２２には、後述する季節や時間帯ごとの配電系統状態Ｌ１〜Ｌｎ（ｎは自然数）に関するデータや、ノード２０１〜２０５のノード電圧の上限値及び下限値が記憶されている。
【００３９】
プログラムデータベース２４には、発電力率を選定するための力率選定プログラムや、発電力率の選定時に用いる潮流計算を行うための潮流計算プログラムが記憶されている。これらのプログラムは、必要に応じてＣＰＵ１４に読み出されて、計算等の処理が実行される。
【００４０】
表示部１０は、例えばディスプレイであり、発電力率の選定結果等を表示するものである。  
入力部１２は、例えばキーボードやマウスであり、各種データ（後述する入力データ等）の入力が、例えば作業員によって行われる。
【００４１】
図５は入力データの一例を示す図である。図５（ａ）は分散型電源Ｇ１の発電力率を設定するデータ（ＰＦ１〜ＰＦ８）を示すものであり、図５（ｂ）は、分散型電源Ｇ１の発電出力を設定するデータ（Ｐ１〜Ｐ５）を示すものである。また、図５（ｃ）は、配電系統状態を設定するデータ（Ｌ１〜Ｌ４）を示すものである。なお、図５（ｃ）の力率とは配電線の負荷全体の力率を示すものであり、按分負荷とは、配電線の負荷全体の大きさ（電力量）を示すものである。この按分負荷を後述する図４（ｂ）の負荷比率に応じて按分した値が、各ノード２０１〜２０５における負荷３０１〜３０５となる。また、送出電圧とは、変電所から送出する電圧のことである。
【００４２】
図５（ｃ）に示す配電系統状態Ｌ１〜Ｌｎは、例えば、各季節（夏、冬、春及び秋）における所定時間帯毎の配電系統状態を示すデータであり、本実施形態では配電系統状態としてＬ１〜Ｌ４を用いることとする。当該Ｌ１〜Ｌ４は、ある季節（例えば夏）における、それぞれ朝（例えば６時〜１０時）、昼（例えば１０時〜１４時）、夕方（例えば１４時〜１８時）、夜（例えば１８時〜２２時）の４つの時間帯の配電系統状態を示すものとする。配電系統状態Ｌ１〜Ｌｎを、季節や時間帯に応じて、さらに細分化するように設定してもよい（例えば１ヶ月毎や１時間毎など）。
【００４３】
なお、配電系統状態Ｌ１〜Ｌｎに関するデータは、例えば、設備データベース２２に予め記憶されており、入力部１２からの入力（例えばＬ１〜Ｌ４）に基づいて対応するデータが選択的に読み出されるようになっている。
【００４４】
計算結果記憶部１８は、潮流計算に基づいて判別される適正、不適正の組合せを示すデータを一時的に記憶するものである。
【００４５】
ＣＰＵ１４は、各種プログラムの実行や、各データベースの検索等を行う。なお、ＣＰＵ１４は、生成部４０、予測部４２、判別部４４、選定部４６を有している。
【００４６】
生成部４０は、図５に示す入力データに基づいて、発電力率（ＰＦ１〜ＰＦ８）夫々に対して、発電出力（Ｐ１〜Ｐ５）、配電系統状態（負荷の大きさ：Ｌ１〜Ｌ４）を対応付けた組合せの情報を生成する。
【００４７】
予測部４２は、プログラムデータベース２４に記憶された潮流計算プログラムによって、生成部４０で生成された情報に基づいて、分散型電源Ｇ１が配電線２００に接続された場合、及び分散型電源Ｇ１が配電線２００から遮断された場合（発電出力が０の場合）のノード２０１〜２０５の各ノード電圧を予測する。
【００４８】
判別部４４は、予測部４２で予測された各ノード電圧が所定範囲内であるか否かを判別する。また、その判別結果を計算結果記憶部１８に記録する。
【００４９】
選定部４６は、全ての組合せについて判別が終了した後に計算結果記憶部１８を参照して、判別部４４で各ノード電圧が所定範囲内と判別した組合せのうち、発電出力の数が最多の組合せに係る発電力率を分散型電源Ｇ１の発電力率として選択して、表示部１０に表示する。なお、最多となる組合せに係る発電力率が複数ある場合には、発電力率の高い方（１００％に近い方）を選択することとする。
【００５０】
＝＝＝発電力率の選定方法＝＝＝
図３を参照しつつ本発明の分散型電源の発電力率選定方法について説明する。図３は、本発明の実施形態にかかる分散型電源の発電力率選定方法を説明するためのフローチャートである。なお、発電力率の選定の動作はＣＰＵ１４で行われる。
【００５１】
まず、入力部１２から入力される入力データ（配電系統状態Ｌ１〜Ｌ４、発電出力Ｐ１〜Ｐ５、発電力率ＰＦ１〜ＰＦ８）、及び潮流計算データベース２０から読み出した系統構成データ及び線路定数に基づいて、潮流計算の計算条件の設定を行う（Ｓ１０１）。
【００５２】
続いて、生成部４０は、入力データから、配電系統状態Ｌ１〜Ｌ４、分散型電源出力Ｐ１〜Ｐ５、発電力率ＰＦ１〜ＰＦ８の全組合せの情報を設定する（Ｓ１０２）。具体的には、発電力率ＰＦ１〜ＰＦ８夫々に、配電系統状態Ｌ１〜Ｌ４を対応付け、さらに配電系統状態Ｌ１〜Ｌ４夫々に発電出力Ｐ１〜Ｐ４を対応付けた組合せを生成する。そして、予測部４２は、設定された各組合せの情報に基づいて、潮流計算プログラムにより潮流計算を実行する（Ｓ１０３）。判別部４４は、潮流計算で得られた各ノード２０１〜２０５のノード電圧の予測値が所定範囲内であるか否かの判別を行う（Ｓ１０４）。各ノード電圧が１つでも所定範囲内でないと判別した場合（Ｓ１０４：Ｎｏ）には、当該組合せが不適正であると計算結果記憶部１８に記録する（Ｓ１０８）。そして全ての組合せが計算済みか否かの判別を行う（Ｓ１０９）。
【００５３】
ステップＳ１０４で各ノード電圧が全て所定範囲内であると判別した場合（Ｓ１０４：Ｙｅｓ）は、さらに、予測部４２は、分散型電源の発電出力を０として、潮流計算を実行する（Ｓ１０５）。そして、判別部４４は、潮流計算で得られた各ノード２０１〜２０５のノード電圧の予測値が所定範囲内であるか否かの判別を行う（Ｓ１０６）。なお、ステップＳ１０６の所定範囲は、ステップＳ１０４の所定範囲と同じでなくてもよい。
【００５４】
各ノード電圧が１つでも所定範囲内でないと判別した場合（Ｓ１０６：Ｎｏ）には、判別部４４は、当該組合せが不適正であると計算結果記憶部１８に記録するステップＳ１０８を実行する。一方、各ノード電圧が全て所定範囲内であると判別した場合（Ｓ１０６：Ｙｅｓ）には、当該組合せが適正であると計算結果記憶部１８に記録する（Ｓ１０７）。そして、全ての組合せが計算済みか否かの判別を行うステップＳ１０９を実行する。
【００５５】
ステップＳ１０９において、全ての組合せが計算済みでないと判別した場合（Ｓ１０９：Ｎｏ）には、ＣＰＵ１４は、計算が実行されていない他の組合せを選択し（Ｓ１１０）、潮流計算を実行するステップＳ１０３を実行する。
【００５６】
一方、ステップＳ１０９において、全ての組合せが計算済みであると判別した場合（Ｓ１０９：Ｙｅｓ）には、選定部４６は、計算結果記憶部１８に記憶されたデータから、全ての配電系統状態（Ｌ１〜Ｌ４）、発電出力（Ｐ１〜Ｐ５）の組合せが適正と記録された発電力率が存在するか否かの判別を行う（Ｓ１１１）。
【００５７】
全ての配電系統状態（Ｌ１〜Ｌ４）、発電出力（Ｐ１〜Ｐ５）の組合せで適正と記録された発電力率が存在すると判別した場合（Ｓ１１１：Ｙｅｓ）、当該発電力率を分散型電源Ｇ１の適正力率として選定する。なお、判別された発電力率が複数ある場合は、発電力率が１００％に最も近いものを選定するようにする（Ｓ１１２）。
【００５８】
一方、全ての配電系統状態（Ｌ１〜Ｌ４）、発電出力（Ｐ１〜Ｐ５）で適正と記録された発電力率が存在しないと判別した場合（Ｓ１１１：Ｎｏ）、適正と記録された組合せのうち、発電出力の数が最多の組合せに係る発電力率を分散型電源Ｇ１の適正力率として選定する。なお、適正と記録された発電出力の数が最多の組合せに係る発電力率が複数ある場合は、そのうち発電力率が１００％に近いものを選定するようにする。さらに不適正と記録された発電出力での分散型電源Ｇ１の運用を禁止する（Ｓ１１３）。
【００５９】
図６は計算結果記憶部１８に記憶された計算結果のデータの一例を説明するための図である。なお、図６の発電出力の欄において、黒色（白抜き）は適正と判別された場合を示し、それ以外は不適正と判別された場合を示している。図６の場合、フローチャートのステップＳ１１１において、全ての配電系統状態（Ｌ１〜Ｌ４）、発電出力（Ｐ１〜Ｐ５）で適正と記録された発電力率（ＰＦ１〜ＰＦ８）は存在しない。この場合、ステップＳ１１３において、適正と記録された発電出力の数が最多の発電力率（ＰＦ７）が選定部４６によって選定されることになる。さらに、Ｌ２の配電系統状態（例えば昼）において、不適正と記録された発電出力Ｐ４での運用を禁止する旨を、例えば表示部１０に表示するようにする。なお、適切と記録された発電出力の数が、例えば発電力率ＰＦ６、ＰＦ７、ＰＦ８で最多であった場合、そのうちの発電力率が最も高いＰＦ６が選択されることになる。
【００６０】
このようにして発電力率を選定することにより、配電系統状態がＬ１〜Ｌ４、発電出力がＰ１〜Ｐ４に変化することがあるような場合に、この変化に関わらない配電系統１への連系に適切な分散型電源Ｇ１の発電力率を選定することができる。
【００６１】
また、分散型電源の発電出力を０とした場合の各ノード電圧の予測値が所定範囲内であるか否かを判別しているので、分散型電源Ｇ１が、例えば故障などで配電線２００から遮断されても各ノード電圧を所定範囲に維持することができる。よって、配電系統１への連系にさらに適した発電力率を選定することができる。
【００６２】
また、配電線２００に設けられたノード２０１〜２０５の各ノード電圧の予測値が所定範囲内であるか否かを判別しているので、例えばノード２０５のノード電圧の予測値のみで判別するよりも、より配電系統１への連系に適した分散型電源Ｇ１の発電力率を選定することができる。
【００６３】
なお、本実施形態では配電系統状態としてＬ１〜Ｌ４を用いることとしたが、一つの配電系統状態（例えばＬ２）のみについて発電力率の選定を行ってもよい。例えば、分散型電源の発電力率（ＰＦ１〜ＰＦ８）夫々に、一つの配電系統（例えばＬ２）と発電出力（Ｐ１〜Ｐ８）を対応付けた組合せを生成して、この各組合せの情報に基づいてノード２０１〜２０５の各ノード電圧を予測するようにしてもよい。こうすることにより、所定の配電系統状態（例えば昼）に適した発電力率を選定することができる。そして、発電力率を配電系統状態（Ｌ１〜Ｌｎ）ごとに選定するようにしてもよい。
【００６４】
＝＝＝その他の実施形態＝＝＝
前述した実施形態では、発電力率（ＰＦ１〜ＰＦ８）夫々に対して、配電系統状態（Ｌ１〜Ｌ４）、発電出力（Ｐ１〜Ｐ５）を全て組合せることとしたが、配電系統の潮流が最大（配電線電圧の上昇値が最も大）になる場合と、潮流が最小（配電線電圧の上昇値が最も小）となる場合の組合せを生成するようにしてもよい。
【００６５】
例えば、発電力率（ＰＦ１〜ＰＦ８）夫々に対応付けられた配電系統状態（Ｌ１〜Ｌ４）夫々に、配電系統の潮流が最小になる場合の発電出力と、潮流が最大となる場合の発電出力とを対応付けた組合せを設定するようにしてもよい。そして、潮流計算の計算結果に基づいて、各ノード電圧が所定範囲内に維持できるか否かの判断を行うようにしてもよい。
【００６６】
図７は、本発明の他の実施形態にかかる分散型電源の発電力率選定方法の一例を説明するための図である。図７では、配電系統状態Ｌ１〜Ｌ４夫々に潮流が最大となる場合と潮流が最小となる場合の発電出力の組合せが設定されている。例えば配電系統状態Ｌ１の場合には、潮流が最小となる発電出力Ｐ１と潮流が最大になる発電出力Ｐ５とが対応付けられている。同様に、配電系統状態がＬ２の場合にはＰ２とＰ５、配電系統状態がＬ３の場合にはＰ３とＰ５、配電系統状態がＬ４の場合にはＰ４とＰ５の発電出力が対応付けられている。
【００６７】
図７に示す組合せに基づいて、前述した実施形態と同様に潮流計算を行い、各ノード電圧が所定範囲内であるか否かを判別し、所定範囲内と判別された組合せが最多となる発電力率を選定するようにしてもよい。
【００６８】
こうすることにより、発電力率（ＰＦ１〜ＰＦ８）夫々について、配電系統状態（Ｌ１〜Ｌ４）と発電出力（Ｐ１〜Ｐ５）を全て組合せた場合よりも、データ量を削減することができる。
【００６９】
以上説明したように、本発明の分散型電源の発電力率選定装置は、配電系統との連系に適切な分散型電源の発電力率を選定することができる。
【００７０】
前述した実施の形態は、本発明の理解を容易にするためのものであり、本発明を限定して解釈するためのものではない。本発明は、その趣旨を逸脱することなく変更、改良されるとともに、本発明にはその等価物も含まれる。
【図面の簡単な説明】
【００７１】
【図１】本発明の実施形態にかかる分散型電源の発電力率選定装置の構成を示すブロック図である。
【図２】分散型電源の力率選定に適用する配電系統の構成モデルを説明するための図である。
【図３】本発明の実施形態にかかる分散型電源の発電力率選定方法を説明するためのフローチャートである。
【図４】系統構成データの一例を示す図である。  図４（ａ）は、配電区間Ａ〜Ｄの構成データであり、図４（ｂ）は、負荷比率に関するデータであり、図４（ｃ）は、分散型電源接続ノードに関するデータである。
【図５】入力データの一例を示す図である。図５（ａ）は分散型電源Ｇ１の発電力率を設定するデータを示すものであり、図５（ｂ）は、分散型電源Ｇ１の発電出力を設定するデータを示すものであり、図５（ｃ）は、配電系統状態を設定するデータを示すものである。
【図６】計算結果記憶部に記憶されたデータの一例を説明するための図である。
【図７】本発明の他の実施形態にかかる分散型電源の発電力率選定方法の一例を説明するための図である。
【図８】分散型電源の発電力率と配電線電圧との関係示すシミュレーション結果を示す図である。
【図９】負荷の大きさや分散型電源の発電出力が変化した場合の配電線電圧のシミュレーション結果を示す図である。
【符号の説明】
【００７２】
１  配電系統                          ２  発電力率選定装置
１０  表示部                          １２  入力部
１４  ＣＰＵ                          １６  データベース
１８  計算結果記憶部                  ２０  潮流計算データベース
２２  設備データベース                ２４  プログラムデータベース
３０  バス線                          １００  変電所
１１０  母線                          ２００  配電線
２０１、２０２、２０３、２０４、２０５  ノード
３０１、３０２、３０３、３０４、３０５  負荷
【図１】
2008005672.tif 000003
【図２】
2008005672.tif 000004
【図３】
2008005672.tif 000005
【図４】
2008005672.tif 000006
【図５】
2008005672.tif 000007
【図６】
2008005672.tif 000008
【図７】
2008005672.tif 000009
【図８】
2008005672.tif 000010
【図９】
2008005672.tif 000011